(57)【要約】  本発明はタイル型液晶パネル及びその組立方法並びにそれを含むタイル型テレビに関する。このようなタイル型液晶パネルは、背板及び前記背板の第１表面に設けられた光源ランプ、背板の周縁に囲まれている支持フレーム及び支持フレームと背板の第２表面の間に接続されている取外し部材を含むバックライトモジュールと、バックライトモジュールと嵌合して使用される複数の液晶部品とを含み、取外し部材は支持フレームに接続される第１接続体及び背板に接続される第２接続体を含み、第１接続体と第２接続体はヒンジにより接続される。このようなタイル型液晶パネルのバックライトモジュールは１つの集合体であり、取外しやすく、メンテナンスに便利である。
2017504067.tif 000002
【特許請求の範囲】
【請求項１】
背板、前記背板の第１表面に設けられた光源ランプ、前記背板の周縁に囲まれている支持フレーム及び前記支持フレームと前記背板の第２表面の間に接続されている取外し部材を含むバックライトモジュールと、前記バックライトモジュールと嵌合して使用される複数の液晶部品と、を備えるタイル型液晶パネルであって、
前記取外し部材は前記支持フレームに接続される第１接続体及び前記背板に接続される第２接続体を含み、前記第１接続体と第２接続体はヒンジにより接続される
ことを特徴とするタイル型液晶パネル。
【請求項２】
前記支持フレームの周縁にはさらにゴムフレームが固定配置されていることを特徴とする請求項１に記載のタイル型液晶パネル。
【請求項３】
さらに、前記ゴムフレームに接続された、前記光源ランプの外側に設置され、前記第１表面を複数の間隔に分割するフィルム支持部を含むことを特徴とする請求項２に記載のタイル型液晶パネル。
【請求項４】
前記それぞれの間隔には光学フィルムが取付けられていることを特徴とする請求項３に記載のタイル型液晶パネル。
【請求項５】
前記フィルム支持部には、液晶部品が前記光学フィルムの外側に取付けられ、前記複数の液晶部品のそれぞれは前記第１表面の対応する間隔に位置合わせられていることを特徴とする請求項４に記載のタイル型液晶パネル。
【請求項６】
前記光源ランプは平行に設置された複数のランプであることを特徴とする請求項１に記載のタイル型液晶パネル。
【請求項７】
請求項５に記載のタイル型液晶パネルを組み立てる方法であって、
前記背板の第１表面に複数の光源ランプを設置するステップ１と、
前記背板の周辺に支持フレームを設置するステップ２と、
第１接続体が前記支持フレームに接続され、第２接続体が前記背板の第２表面に接続される取外し部材を取付けるステップ３と、
前記背板の第１表面側、光源ランプの外側に、前記第１表面を複数の間隔に分割するフィルム支持部を固定配置し、前記フィルム支持部に光学フィルムを取付け、バックライトモジュールを形成するステップ４と、
前記複数の液晶部品を、前記フィルム支持部の上、光学フィルムの外側に取付け、タイル型液晶パネルを形成するステップ５と、
を含むことを特徴とする方法。
【請求項８】
ステップ５において、それぞれの前記複数の液晶部品をそれぞれ前記ステップ４における間隔に取付けることを特徴とする請求項７に記載の方法。
【請求項９】
ステップ５において、先ず前記複数の液晶部品を１つの集合体に継ぎ合わせ、その後前記バックライトモジュールと一体に組み立てることを特徴とする請求項７に記載の方法。
【請求項１０】
請求項１に記載のタイル型液晶パネルを含むことを特徴とするタイル型テレビ。
【発明の詳細な説明】
【技術分野】
【０００１】
本発明は液晶デバイスに関し、特にタイル型液晶パネルに関する。本発明はさらにこのようなタイル型液晶パネルの組立方法及びそれを含むテレビに関する。
【背景技術】
【０００２】
液晶技術の発展に伴い、多くの場所で複数の液晶テレビを１つの大型サイズのテレビに継ぎ合わせ使用し始めている。一般的に、これらの大型サイズの液晶テレビは複数の独立したテレビモジュールが継合わせられてなる。このようなタイル型テレビの各モジュールは互いに独立し、全体的に製造コストが高く、さらに、複数のテレビを大型サイズのテレビに継ぎ合わせた後、１つのテレビが破損した場合、修理するためにその他の破損していない多くのテレビを同時に取外さなければならず、これは大型サイズテレビのメンテナンスに不便である。
【発明の概要】
【発明が解決しようとする課題】
【０００３】
従来技術に存在する上記技術的問題に対して、本発明はタイル型液晶パネルを提供し、このようなタイル型液晶パネルのバックライトモジュールは１つの集合体であり、取外しやすく、タイル型液晶パネルのメンテナンスに便利である。また、本発明はさらにこのようなタイル型液晶パネルの組立方法及びそれを含むテレビに関する。
【課題を解決するための手段】
【０００４】
１）本発明の第１態様によれば、背板及び背板の第１表面に設けられた光源ランプ、背板の周縁に囲まれている支持フレーム及び支持フレームと背板の第２表面の間に接続されている取外し部材を含むバックライトモジュールと、バックライトモジュールと嵌合して使用される複数の液晶部品とを含むタイル型液晶パネルを提供し、取外し部材は支持フレームに接続される第１接続体及び背板に接続される第２接続体を含み、第１接続体と前記第２接続体はヒンジにより接続される。
【０００５】
本発明によるタイル型液晶パネルは、複数の液晶部品に１枚のバックライトモジュールが共用され、製造コストを低下させる。
【０００６】
２）本発明の第１）項の実施形態において、支持フレームの周縁にはさらにゴムフレームが固定配置されている。さらに、ゴムフレームに接続された、光源ランプの外側に設置され第１表面を複数の間隔に分割するフィルム支持部を含む。各間隔には光学フィルムが取付けられている。フィルム支持部には、液晶部品が光学フィルムの外側に取付けられ、複数の液晶部品のそれぞれは第１表面の対応する間隔に位置合せられる。このように、バックライトモジュールと液晶部品は独立したモジュールとなり、上記ヒンジ型取外し部材を介して、タイル型液晶パネルの全体を取外さずにバックライトモジュールを検出することができる。さらに、取外し部材を取外すことにより背板だけを取外し液晶部品を取外さなくてもよいので、タイル型液晶パネルのメンテナンスに便利である。
【０００７】
３）本発明の第１）項または第２）項の実施形態において、光源ランプは平行に設置された複数のランプである。このような光源ランプはコストが低く、取付けも簡単である。
【０００８】
４）本発明の第２態様によれば、
背板の第１表面に複数の光源ランプを設置するステップ１と、
背板の周辺に支持フレームを設置するステップ２と、
第１接続体が支持フレームに接続され、第２接続体が背板の第２表面に接続される取外し部材を取付けるステップ３と、
背板の第１表面側において、光源ランプの外側に第１表面を複数の間隔に分割するフィルム支持部を固定配置し、フィルム支持部に光学フィルムを取付け、バックライトモジュールを形成するステップ４と、
複数の液晶部品をフィルム支持部の上、光学フィルムの外側に取り付け、タイル型液晶パネルを形成するステップ５と、
を含む前記タイル型液晶パネルの組立方法を提供する。
【０００９】
５）本発明の第４）項の実施形態において、ステップ５では、それぞれの複数の液晶部品をそれぞれステップ４における間隔に取付ける。もう一つの実施形態において、ステップ５では、先ず複数の液晶部品を１つの集合体に継ぎ合わせ、それからバックライトモジュールと一体に組み立てる。
【００１０】
６）本発明の第３態様によれば、上記タイル型液晶パネルを含むタイル型テレビを提供する。
【００１１】
本願において、用語「外側」は光源ランプの逆方向に向かう方向を指す。
【発明の効果】
【００１２】
従来技術と比べて、本発明の利点は、本発明のタイル型液晶パネルにおいて、複数の液晶部品に１枚のバックライトモジュールを共用させることにより、製造コストを低下させることである。本発明のタイル型液晶パネルにおいて、バックライトモジュール及び液晶部品は独立したモジュールであり、ヒンジ型取外し部材を介して、タイル型液晶パネルの全体を取外さずにバックライトモジュールを検出することができ、さらに取外し部材を取外すことにより背板だけを取外し液晶部品を取外さなくてもよく、タイル型液晶パネルのメンテナンスに便利である。
【図面の簡単な説明】
【００１３】
【図１】本発明によるバックライトモジュールの第１表面を示す図である。
【図２】本発明によるバックライトモジュールの第２表面を示す図である。
【図３】図２におけるI部分の拡大図である。
【図４】本発明による取外し部材の構造を示す図である。
【図５】フィルム支持部が組立てられたバックライトモジュールを示す図である。
【図６】光学フィルムが組立てられたバックライトモジュールの構造を示す図である。
【図７】フィルム支持部に液晶部品を組み立てることを示す図である。
【図８】フィルム支持部に液晶部品を組み立てることを示すもう一つの図である。
【図９】本発明によるタイル型液晶パネルを示す図である。
【発明を実施するための形態】
【００１４】
以下、実施例に基づき、図面を参照して本発明をより詳細に説明する。
図面において、同じ部材には同じ図面符号を使用する。図面は実際の比率に合わせて描いたものではない。
【００１５】
以下、図面に合わせて本発明をさらに説明する。
図１に示すように、バックライトモジュール１０は背板１１を含む。背板１１の第１表面には光源ランプ１２が設置されている。一実施例において、光源ランプ１２は通常の蛍光灯、冷陰極蛍光ランプまたは発光ダイオード（即ち、ＬＥＤ）であることが好ましい。光源ランプ１２と背板１１の間の接続は、当業者が熟知しているものであり、ここで説明を繰り返さない。
【００１６】
図２に示すように、バックライトモジュール１０は、さらに背板１１の周縁を囲む支持フレーム１３及び支持フレーム１３と背板１１の第２表面の間に接続される取外し部材２０を含む。図２に示す実施例において、全部で４つの取外し部材２０が設置され、２対に分けられており、そのうちの１対は背板１１の１側辺に位置し、もう１対は背板１１の対向する側辺に位置する。図３及び図４に示すように、取外し部材２０は、支持フレーム１３に接続される第１接続体２１及び背板１１に接続される第２接続体２２を含み、第１接続体２１と第２接続体２２はヒンジにより接続され、全体的に見て、取外し部材２０はヒンジ状である。一実施例において、取外しやすくするために、第１接続体２１と第２接続体２２は全てネジを介して支持フレーム１３または背板１１に接続される。このようなヒンジ状の取外し部材２０の利点は以下に詳細に説明する。
【００１７】
図５に示すように、バックライトモジュール１０は、さらに支持フレームの周縁に固定配置されたゴムフレーム７０を含む。背板１１の第１表面において、ゴムフレーム７０に固定接続されたフィルム支持部３０を組み立てる。フィルム支持部３０は縦横交互に配置された支持ロッド３１、３２により形成され、よってフィルム支持部３０が背板１１の第１表面に組立てられた後、背板１１の第１表面を複数の間隔３３に分割する。これらの間隔３３は液晶部品を取付けるのに用いられるが、これは以下に詳細に説明する。さらに、注意すべきことは、フィルム支持部３０と背板１１が接触する部分には溝（図示せず）が設置され、ランプ式の光源ランプ１２はこれらの溝を貫通することができるため、フィルム支持部３０の組立てに便利である。
【００１８】
図６に示すように、バックライトモジュール１０は、さらに各間隔３３に組立てられた光学フィルム４０を含む。一実施例において、光学フィルム４０は、拡散シート、プリズムシート、光学補償膜などを含み、これらの素子はいずれも当業者が熟知しているものであり、ここで繰り返し説明を省略する。全体的に言えば、バックライトモジュール１０の背板１１は、取外し部材２０を介して支持フレーム１３に接続し、支持フレーム１３はゴムフレーム７０に固定接続され、フィルム支持部３０はゴムフレーム７０に固定接続され、光学部材４０はフィルム支持部３０に組立てられる。
【００１９】
最後に、フィルム支持部３０の上、光学部材４０の外側には複数の液晶部品５０が取付けられている。注意すべきことは、複数の液晶部品５０のそれぞれは第１表面の対応する間隔３３に位置合せられる。図９に示すように、このように、バックライトモジュール１０及び液晶部品５０を含むタイル型液晶パネル６０を形成する。このように、複数の液晶モジュールに１枚のバックライトモジュール１０を共有させることを実現し、製造コストを低下させている。一実施例において、液晶部品５０とバックライトモジュール１０が固定接続されるように、さらにフロントフレーム６１を用いて液晶部品５０とバックライトモジュール１０を固定している。
【００２０】
このようなタイル型液晶パネル６０において、液晶部品５０は背板１１と直接接続されておらず、フィルム支持部３０に設置され、背板１１と一定の距離を保ち、即ち、液晶部品５０及びバックライトモジュール１０は独立したモジュールを形成する。背板１１が故障した場合、そのうち１対の取外し部材を取外すことができ、取外し部材２０がヒンジ状であるため、ドアを開くように背板１１を開け検査することができ、液晶部品５０を取外す必要が無い。背板１１を修理又は交換しなければならない時、全ての取外し部材２０を取外せば背板１１を取外すことができ、液晶部品５０を取外す必要が無い。これはタイル型液晶パネル６０のメンテナンスが非常に便利である。
【００２１】
以下、図１から図９に基づきタイル型液晶パネル６０の組立て過程を説明する。
先ず、図１に示すように、背板１１の第１表面に複数の光源ランプ１２を設置する。それから、背板１１の周辺に支持フレーム１３を設置する。その後、図２に示すように、第１続体２１が支持フレーム１３に接続され、第２接続体２２が背板１１の第２表面に接続される取外し部材２０を取付ける。図５に示すように、背板１１の第１表面側において、光源ランプ１２の外側にフィルム支持部３０を固定配置し、フィルム支持部３０は背板１１の第１表面側を複数の間隔３３に分割する。図６に示すように、フィルム支持部３０には光学部材４０が固定配置され、よって１枚のバックライトモジュール１０を形成する。最後に、図９に示すように、複数の液晶部品５０をフィルム支持部３０の上、光学フィルム４０の外側に取り付け、タイル型液晶パネル６０を形成する。
【００２２】
図７に示すように、一実施例において、それぞれの液晶部品５０をそれぞれ間隔３３に取付けることができる。もう一つの実施例において、先ず複数の液晶部品を１つの集合体５１に継ぎ合わせ、その後、バックライトモジュール１０と組立てることもできる。液晶部品５０とバックライトモジュール１０とが固定接続されるように、さらにフロントフレーム６１を用いて液晶部品５０とバックライトモジュール１０を固定している。
【００２３】
図示されていないが、本発明によるタイル型液晶パネル６０は、さらにタイル型テレビに用いられることができる。このようなタイル型テレビは同様にコストが低く、メンテナンスしやすい利点を有する。
【００２４】
既に好ましい実施例を参照して本発明を説明したが、本発明の範囲を逸脱しない限りにおいて、それに対して様々な改良を行うことができ、等価物によりそのうちの部材を置き換えることもできる。特に、構造的な対立がない限り、各実施例において言及された各技術的な特徴は全て任意の方式によって組み合わせることができる。本発明は文言により開示された特定の実施例に限定されず、特許請求の範囲に含まれている全ての技術的解決手段を含む。
【図１】
2017504067.tif 000003
【図２】
2017504067.tif 000004
【図３】
2017504067.tif 000005
【図４】
2017504067.tif 000006
【図５】
2017504067.tif 000007
【図６】
2017504067.tif 000008
【図７】
2017504067.tif 000009
【図８】
2017504067.tif 000010
【図９】
2017504067.tif 000011
【国際調査報告】
2017504067.tif 000012
2017504067.tif 000013
2017504067.tif 000014
2017504067.tif 000015